(57)【要約】【課題】  従来の開封識別容器よりも不正開封をより確実に識別することができ、正規の開封においても、キャップシールの切り跡が美しい開封識別容器を提供すること。【解決手段】  全周第１破断線における垂直破断線の外側方向に離れた位置から、上方に行くに従い前記垂直破断線から離れる方向に傾斜した各一対の傾斜第２破断線と、前記４本の傾斜第２破断線の各上端部の間隔のうち、前記垂直破断線を挟む間隔を除く部分を結ぶ周第２破断線とを形成し、前記傾斜及び周第２破断線が、前記全周第１破断線より破断し易いことを特徴とする開封識別容器。【選択図】      図１
2006062703.tif 000002
【特許請求の範囲】
【請求項１】
容器本体と、該容器本体に螺合するキャップとを有し、前記容器本体の側面全体とキャップの上面縁部からキャップの側面全体に亘って熱収縮性シートによるキャップシールで包囲し、該キャップシールに、前記容器本体の軸線方向に延びた一対の垂直破断線と、該垂直破断線の下端部に続き、前記容器本体とキャップの境界付近で前記容器本体の全周に延びた全周第１破断線とを設けた開封識別容器において、
前記全周第１破断線における前記垂直破断線の外側方向に離れた位置から、上方に行くに従い前記垂直破断線から離れる方向に傾斜した各一対の傾斜第２破断線と、
前記４本の傾斜第２破断線の各上端部の間隔のうち、前記垂直破断線を挟む間隔を除く部分を結ぶ周第２破断線とを形成し、
前記傾斜及び周第２破断線が、前記全周第１破断線より破断し易いことを特徴とする開封識別容器。
【請求項２】
前記傾斜及び周第２破断線の切り目間隔は、前記第１破断線の切り目間隔とほぼ等しいか又は短く、且つ前記傾斜及び周第２破断線の切り目が前記第１破断線の切り目よりも長いことを特徴とする請求項１に記載の開封識別容器。
【請求項３】
前記全周第１破断線における前記垂直破断線と傾斜第２破断線が、３〜７ｍｍ離れた位置であることを特徴とする請求項１に記載の開封識別容器。
【請求項４】
全周第１破断線と周第２破断線との間隙が、５〜１０ｍｍであることを特徴とする請求項１に記載の開封識別容器。
【請求項５】
前記一対の傾斜第２破断線の間隔が、１０ｍｍ以上２０ｍｍ以下であることを特徴とする請求項１に記載の開封識別容器。
【発明の詳細な説明】
【技術分野】
【０００１】
本発明は、開封識別容器、さらに詳しくは、中栓を外して異物を入れて元に戻す等の目的で一度開封すると、開封前の状態に戻すことができず、開封したことを認識できる開封識別容器に関する。
【背景技術】
【０００２】
瓶等の容器に詰められた内容物を密封し保護するために、各種のクロージャーが用いられている。
購買意欲をそそる容器及びその包装のデザインが要求される一方、確実な密封を維持するために、密封手段として、スクリュウキャップ、コルク栓、傘付コルク栓等のキャップが使用されている。これらは、クロージュアの機能の一つであるプルファプルーフ性（封緘性）を保証できない。これを補うために、容器口部を密閉した瓶栓部を、熱収縮性シートによる装飾性を兼ねたキャップシールを被冠している。キャップシールには、ミシン目が設けられ、このミシン目を破断しないとキャップを外すことができないように設計されている。
【０００３】
従来のキャップシールとしては、周方向に破断切込を施して上下切り離しのための破断部を形成し、該破断部を破断して、その上部を除去することにより瓶栓部の封緘を解除するようにした悪戯防止用キャップシールにおいて、前記周方向の破断切込を、端部が段違いになるように形成した構成が提案されている（例えば、特許文献１参照）。
【０００４】
従来の他の不正開封防止片付き筒状容器として、筒状をした容器の本体と、容器上端の注出口の着脱自在に設けた蓋体とからなる筒状容器と、前記容器本体と蓋体との周囲を筒状に覆って一体に接着固定されたラベル又はカバーフィルムからなり、前記ラベル又はカバーフィルムは容器本体と蓋体との接続部位に切断可能な破断部が環状に形成され、かつ、該破断部を含む周辺が容器本体と蓋体との接続面にそって収縮されて密着してなる構成が提案されている（例えば、特許文献２参照）。
【０００５】
【特許文献１】特公平５−３２４４７号公報
【特許文献２】特開平１１−１９３０４２号公報
【発明の開示】
【発明が解決しようとする課題】
【０００６】
上述した特許文献１の構成においては、不正開封されたか否かを容易に判定することはできるが、キャップシールを完全に取り剥がすタイプのものであって、正規に開封した場合は容器本体部分のキャップシールが残るというタイプのものには適用できないとの問題がある。
上述した特許文献２の構成においては、周方向の破断切込部が円型状の場合は、着脱自在の蓋体をラベル又はカバーフィルムと同時に空回りすると、周方向の破断部のみが破断してキャップを外すことができ、その後、元のように戻した場合、外観上からは、不正に開封されたことが容易に判別できない場合があるとの問題がある。
【０００７】
（発明の目的）
本発明は、従来の開封識別容器の上述した問題点に鑑みてなされたものであって、従来の開封識別容器よりも不正開封をより確実に識別することができる開封識別容器を提供することを目的とする。
本発明はまた、正規の開封においても、キャップシールの切り跡が美しい開封識別容器を提供することを目的とする。
本発明はさらに、保管中、販売のための展示中等に誤って開封されるおそれのない開封識別容器を提供することを目的とする。
【課題を解決するための手段】
【０００８】
本発明は、容器本体と、該容器本体に螺合するキャップとを有し、前記容器本体の側面全体とキャップの上面縁部からキャップの側面全体に亘って熱収縮性シートによるキャップシールで包囲し、該キャップシールに、前記容器本体の軸線方向に延びた一対の垂直破断線と、該垂直破断線の下端部に続き、前記容器本体とキャップの境界付近で前記容器本体の全周に延びた全周第１破断線とを設けた開封識別容器において、
前記全周第１破断線における前記垂直破断線の外側方向に離れた位置から、上方に行くに従い前記垂直破断線から離れる方向に傾斜した各一対の傾斜第２破断線と、
前記４本の傾斜第２破断線の各上端部の間隔のうち、前記垂直破断線を挟む間隔を除く部分を結ぶ周第２破断線とを形成し、
前記傾斜及び周第２破断線が、前記全周第１破断線より破断し易いことを特徴とする開封識別容器である。
【０００９】
本発明の実施形態は、以下のとおりである。
前記傾斜及び周第２破断線の切り目間隔は、前記第１破断線の切り目間隔がほぼ等しいか又は短く、且つ前記傾斜及び周第２破断線の切り目が、前記第１破断線の切り目よりも長いことを特徴とする。
前記全周第１破断線における前記垂直破断線と傾斜第２破断線が、３〜７ｍｍ離れた位置であることを特徴とする。
全周第１破断線と周第２破断線との間隙が、５〜１０ｍｍであることを特徴とする。
前記一対の傾斜第２破断線の間隔が、１０ｍｍ以上２０ｍｍ以下であることを特徴とする。
【発明の効果】
【００１０】
本発明による開封識別容器は、従来の開封識別容器よりも不正開封をより確実に識別することができる効果を有する。
本発明による開封識別容器はまた、正規の開封においても、キャップシールの切り跡が美しい効果を有する。開封識別容器を提供することを目的とする。
本発明による開封識別容器はさらに、保管中、販売のための展示中等に誤って開封されるおそれがない効果を有する。
【発明を実施するための最良の形態】
【００１１】
本発明の実施形態の開封識別容器を図に基づいて説明する。開封識別容器は、その斜視図である図１及びキャップシールの展開図である図２に示すように、熱収縮性のシート状合成樹脂製であるキャップシール部材１０は、蓋１２付きの容器本体１４に巻き付け、加熱して収縮させられている。熱収縮性のシート状合成樹脂としては、ポリエチレンテレフタレート、ポリスチレン、塩化ビニリデン等を例示することができる。
【００１２】
キャップシール部材１０は、容器本体１４の上端縁に形成された円周突起部２０の上または近傍に配置される全周破断線２２と、開封引っ張り突起部２４から全周破断線２２まで直線状に延びた左切込線２６、右切込線２８とからなる一対の垂直破断線が設けられている。
【００１３】
キャップシール部材１０は、さらに、全周破断線２２において左切込線２６、右切込線２８から外側方向に離れた位置、好ましくは、それぞれ３〜７ｍｍ離れた位置から立ち上がり、左切込線２６、右切込線２８から離れる方向に１０°〜８０°、好ましくは３０°〜６０°傾斜した第１左傾斜線３０、第１右傾斜線３２からなる傾斜第２破断線と、全周破断線２２において左切込線２６、右切込線２８からそれぞれ１０ｍｍ以上２０ｍｍ以下離れた位置から立ち上がり、左切込線２６、右切込線２８から離れる方向に１０°〜８０°、好ましくは３０°〜６０°傾斜した第２左傾斜線４０、第２右傾斜線４２からなる予備の傾斜第２破断線が設けられている。
【００１４】
上記において、前記全周破断線２２における第１左傾斜破断線３０ないし第１右傾斜破断線３２の位置が、左切込破断線２６ないし右切込破断線２８に接するかあるいは極近している場合は、正規に開封しようとして開封引っ張り突起部２４を引っ張り、全周破断線２２まで直線状に延びた左切込線２６、右切込線２８とからなる一対の垂直破断線を破断し、さらに引き続いて前記全周破断線２２を破断しようとしても、破断され易い第１左傾斜破断線３０ないし第１右傾斜破断線３２に破断力が流れていき、結果的に前記全周破断線２２に沿った正規の破断ができなくなる。反対に、前記全周破断線２２における第１左傾斜破断線３０ないし第１右傾斜破断線３２の位置が、左切込破断線２６ないし右切込破断線２８から遠すぎると、不正開封しようとした場合でも、第１左傾斜破断線３０ないし第１右傾斜破断線３２が破断されずに、前記全周破断線２２が全周に亘って順次破断されることになり、容易に不正開封を認識することができなくなる場合がある。
【００１５】
また、傾斜第２破断線の角度を１０°〜８０°、好ましくは３０°〜６０°とするのは、不正開封時において、キャップシールのキャップ部分を回動した際に、傾斜第２破断線がキャップシールのねじれの力を最大限に受け、切れ易くするためである。
【００１６】
第１左傾斜破断線３０の上端部１０１、第２左傾斜破断線４０の上端部１０２、第２右傾斜破断線４２の上端部１０３、及び第１右傾斜破断線３２の上端部１０４は、順次周方向破断線５０に連結されている。第１左傾斜破断線３０の上端部１０１及び第１右傾斜破断線３２の上端部１０４の間には、左切込破断線２６及び右切込破断線２８があり、周方向破断線５０は、第１左傾斜破断線３０の上端部１０１及び第１右傾斜破断線３２の上端部１０４の間には形成されていない。前記全周破断線２２と周方向破断線５０との間隙は５〜１０ｍｍであることが好ましい。
５ｍｍ以上隙間を取り開封すると、傾斜破断線にねじれの力が加わり最初に切れる。４ｍｍ以下の隙間を取り開封すると、隙間が小さい時は全周破断線２２が切れるケースが発生する。
【００１７】
上記構造において、前記第２破断線は前記第１破断線よりも破断され易く構成されており、例えば、前記第２破断線の切り目間隔は前記第１破断線の切り目間隔とほぼ等しいか又は短く、且つ前記第２破断線の切り目が前記第１破断線の切り目よりも長く構成されているのが好ましい。具体的には、前記第２破断線は、切り目長さ０．６〜１ｍｍ、切り目間隔０．３〜０．５ｍｍのミシン目であり、前記第１破断線は、切り目長さ０．３〜０．５ｍｍ、切り目間隔０．３〜０．５ｍｍのミシン目の範囲内で、前記第２破断線の切り目間隔は前記第１破断線の切り目間隔とほぼ等しいか又は短く、且つ前記第２破断線の切り目が前記第１破断線の切り目よりも長く構成されているのが好ましい。
【００１８】
上記構成によって、不正にキャップシール部材１０を開封しようとした場合、上記構成とも相まって、前記全周破断線２２全体が破断せずに、前記第２破断線が破断されることになり、容易に不正開封を認識することができる。
【産業上の利用可能性】
【００１９】
本発明は、香辛料の粉末を充填した瓶入りスパイス製品等の不正開封を容易に判定することができる開封識別容器において有効に利用できる。
【図面の簡単な説明】
【００２０】
【図１】本発明の実施形態の開封識別容器の斜視図である。
【図２】本発明の実施形態のキャップシール部材の平面図である。
【符号の説明】
【００２１】
１０            開封識別容器
１２            蓋
１４            蓋付きの容器本体
２０            円周突起部
２２            全周破断線
２４            開封引っ張り突起部
２６            左切込破断線
２８            右切込破断線
３０            第１左傾斜破断線
３２            第１右傾斜破断線
４０            第２左傾斜破断線
４２            第２右傾斜破断線
１０１          第１左傾斜破断線の上端部
１０２          第２左傾斜破断線の上端部
１０３          第１右傾斜破断線の上端部
１０４          第２右傾斜破断線の上端部
【図１】
2006062703.tif 000003
【図２】
2006062703.tif 000004